(57)【要約】【課題】車両の補修に際し、損傷具合や補修範囲を実際の画像を用いた見積書を自動的に作成し、依頼者の信頼度を高め、かつ、見積書作成作業の簡素化を図る。【解決手段】車体Ｖ（図８参照）表面の損傷範囲を撮像する撮像手段２と、この撮像手段２によって撮像された画像を表示する表示手段（３）と、損傷範囲に複数の直交するレーザー光線を照射して、損傷範囲を複数の単位補修領域Ａに区画するレーザーグリッドＧを生成するグリッド生成手段（４）と、複数の単位補修領域Ａを選択的に指定して補修すべき部位を特定するタッチパネルからなる入力手段（５）と、損傷の補修条件を設定する補修条件設定手段（６）と、入力手段によって特定された単位補修領域の情報と補修条件とにより補修費を算出する演算手段（７）と、各手段の制御をなす制御ユニット（８）とを備えている。【選択図】図３
2014059668.tif 000002
【特許請求の範囲】
【請求項１】
車体表面の損傷範囲を撮像する撮像手段と、この撮像手段によって撮像された画像を表示する表示手段と、前記損傷範囲に複数の直交するレーザー光線を照射して、この損傷範囲を複数の単位補修領域に区画するレーザーグリッドを生成するグリッド生成手段と、前記表示手段と重畳して設けられ、前記複数の単位補修領域を選択して補修すべき部位を特定するタッチパネルからなる入力手段と、前記損傷の補修条件を設定する補修条件設定手段とを用い、前記入力手段によって特定された前記単位補修領域の情報と前記補修条件とにより補修費を算出するようにしたことを特徴とする車両補修費見積システム。
【請求項２】
前記補修条件が、車体表面の傷の種類、塗装色、塗装の種類、補修難易度を含み、これらを計数化して基準費用と乗算又は加算することにより前記補修費を算出するようにしたことを特徴とする請求項１に記載の車両補修費見積システム。
【請求項３】
車体表面の損傷範囲を撮像する撮像手段と、この撮像手段によって撮像された画像を表示する表示手段と、前記損傷範囲に複数の直交するレーザー光線を照射して、この損傷範囲を複数の単位補修領域に区画するレーザーグリッドを生成するグリッド生成手段と、前記表示手段と重畳して設けられ、前記複数の単位補修領域を選択的に指定して補修すべき部位を特定するタッチパネルからなる入力手段と、前記損傷の補修条件を設定する補修条件設定手段と、前記入力手段によって特定された前記単位補修領域の情報と前記補修条件とにより補修費を算出する演算手段と、前記各手段の制御をなす制御ユニットとを備えていることを特徴とする車両補修費見積装置。
【請求項４】
前記レーザーグリッド生成手段が、直交する２つのレーザーグリッドを生成するレーザー照射器を複数備え、隣り合うレーザー照射器が、前記２つのレーザーグリッドのそれぞれの方向に沿って一定距離離間するように設けられていることを特徴とする請求項３に記載の車両補修費見積装置。
【請求項５】
前記制御ユニットが、前記演算手段における演算結果情報と前記補修条件設定手段によって設定された補修条件情報とに基づき、所定のレイアウトを有する電子見積書を作成する補修費用書類作成部を備えていることを特徴とする請求項３に記載の車両補修費見積装置。
【請求項６】
前記制御ユニットが、前記補修費用書類作成部において作成された電子見積書を送信する通信部を備えていることを特徴とする請求項５に記載の車両補修費見積装置。
【発明の詳細な説明】
【技術分野】
【０００１】
本発明は、車両の車体に生じた損傷を補修する際に生じる補修費の見積を行なう車両補修費見積システムおよびその装置に関する。
【背景技術】
【０００２】
一般に、車両の車体に生じた損傷を補修する際の補修費の見積は、車体の損傷箇所を目視で確認しつつ損傷具合や補修方法を特定し、その特定結果に基づき行なうようにしている（特許文献１参照）。
【先行技術文献】
【特許文献】
【０００３】
【特許文献１】特開２００３−１９６５１１号公報
【発明の概要】
【発明が解決しようとする課題】
【０００４】
ところで、前述した補修にかかる費用の見積書を作成する場合、依頼者に対して前述した損傷範囲や損傷具合を明確に提示しなければならない。
【０００５】
しかしながら、前述した従来の技術にあっては、損傷範囲や損傷具合の特定を目視によって行なっているために、前述した損傷範囲や損傷具合を、図面を用いて示す必要がある。
【０００６】
このように図面を用いて損傷範囲や損傷具合を示す場合、手書きによって行なうことから実際の損傷状態とかけ離れた簡易的な表現となってしまう不具合がある。
【０００７】
この不具合を解消するために、前述した損傷範囲や損傷具合の写真を前記見積書に添付する方法もとられているが、手間がかかるという問題があり、本発明は、これらの問題点を解消することを課題とする。
【課題を解決するための手段】
【０００８】
本発明は、前述した従来の問題点に鑑みてなされたもので、請求項１に記載の車両補修費見積システムは、車体表面の損傷範囲を撮像する撮像手段と、この撮像手段によって撮像された画像を表示する表示手段と、前記損傷範囲に複数の直交するレーザー光線を照射して、この損傷範囲を複数の単位補修領域に区画するレーザーグリッドを生成するグリッド生成手段と、前記表示手段と重畳して設けられ、前記複数の単位補修領域を選択して補修すべき部位を特定するタッチパネルからなる入力手段と、前記損傷の補修条件を設定する補修条件設定手段とを用い、前記入力手段によって特定された前記単位補修領域の情報と前記補修条件とにより補修費を算出するようにしたことを特徴としている。
【０００９】
このような構成とすることにより、損傷範囲が撮像手段によって撮像されて画像情報として利用できるので、実際の損傷範囲と損傷具合を確認することができる。
【００１０】
そして、入力手段によって複数の単位補修領域を選択することによって、前記画像情報を見ながら補修すべき部位を特定することができ、かつ、その情報を電子的に記録することができる。
【００１１】
これとともに、補修条件設定手段によって補修条件を入力することにより、これらの補修条件と前記補修部位の特定結果とにより、補修費用が自動計算される。
【００１２】
このように、実際の損傷具合と補修領域とを電子的に記録することによって、その情報をそのまま見積書へ反映させて、その補修費用とともに依頼者へ提供することができる。
【００１３】
したがって、依頼者は、実際の損傷具合にきわめて近い状態を確認することができるとともに、その補修費用の見積の正確さを確認することができる。
一方、補修費用見積書を作成する側にあっては、損傷範囲を撮像し、補修すべき部位を選択すると行った簡便な操作によって見積書の作成を行なうことができる。
【００１４】
本発明の請求項２に記載の車両補修費見積システムは、請求項１に記載の前記補修条件が、車体表面の傷の種類、塗装色、塗装の種類、補修難易度を含み、これらを計数化して基準費用と乗算又は加算することにより前記補修費を算出するようにしたことを特徴としている。
【００１５】
このような構成とすることにより、補修に必要な条件をより細かく設定し、見積の精度を高めることができる。
【００１６】
一方、前述した補修箇所の特定操作を依頼者に行なわせることできるので、見積への依頼者の納得度も高まる。
【００１７】
本発明の請求項３に記載の車両補修費見積装置は、車体表面の損傷範囲を撮像する撮像手段と、この撮像手段によって撮像された画像を表示する表示手段と、前記損傷範囲に複数の直交するレーザー光線を照射して、この損傷範囲を複数の単位補修領域に区画するレーザーグリッドを生成するグリッド生成手段と、前記表示手段と重畳して設けられ、前記複数の単位補修領域を選択的に指定して補修すべき部位を特定するタッチパネルからなる入力手段と、前記損傷の補修条件を設定する補修条件設定手段と、前記入力手段によって特定された前記単位補修領域の情報と前記補修条件とにより補修費を算出する演算手段と、前記各手段の制御をなす制御ユニットとを備えていることを特徴としている。
【００１８】
このような構成とすることにより、前述した請求項１および請求項２に記載のシステムを有効に実行することができる。
【００１９】
本発明の請求項４に記載の車両補修費見積装置は、請求項３に記載の前記レーザーグリッド生成手段が、直交する２つのレーザーグリッドを生成するレーザー照射器を複数備え、隣り合うレーザー照射器が、前記２つのレーザーグリッドのそれぞれの方向に沿って一定距離離間するように設けられていることを特徴としている。
【００２０】
このような構成とすることにより、前記複数のレーザー照射器が、前述した２つの直交するレーザー光跡に対して、４５度の角度で直線状に等間隔で整列配置されることとなるが、各レーザー照射器から照射される２つのレーザー光跡によって多数の単位補修領域が形成される。
すなわち、一列に配置されたレーザー照射器によって前記多数の単位補修領域が生成されるので、設置するレーザー照射器の数を最小限度に抑えることができる。
【００２１】
本発明の請求項５に記載の車両補修費見積装置は、請求項３に記載の前記制御ユニットが、前記演算手段における演算結果情報と前記補修条件設定手段によって設定された補修条件情報とに基づき、所定のレイアウトを有する電子見積書を作成する補修費用書類作成部を備えていることを特徴としている。
【００２２】
このような構成とすることにより、見積書を提出する際に、即座にプリントアウトすることができる。
また、請求項６に記載のように、前記電子見積書を送信する通信部を設けることにより、インターネット等の通信手段を介して依頼者へ即座に見積書を提出することができる。
【発明の効果】
【００２３】
本発明によれば、車両の損傷の補修を行なう際に、損傷具合や補修範囲を実際の画像を用いた見積書を自動的に作成することができ、これによって、依頼者の信頼度を高めることができることができるばかりでなく、見積書の作成時間を大幅に短縮して見積書作成作業の簡素化を図ることができる。
【図面の簡単な説明】
【００２４】
【図１】本発明の装置の一実施形態を示す正面図である。
【図２】本発明の装置の一実施形態を示す側面図である。
【図３】本発明の装置の一実施形態の作用を説明するための正面図である。
【図４】本発明の装置の一実施形態のシステムブロック図である。
【図５】本発明の一実施形態の動作を説明するための表示手段の表示画面である。
【図６】本発明の一実施形態の動作を説明するための表示手段の表示画面である。
【図７】本発明の一実施形態の動作を説明するための表示手段の表示画面である。
【図８】本発明の一実施形態の動作を説明するための表示手段の表示画面である。
【図９】本発明の一実施形態の動作を説明するための表示手段の表示画面である。
【図１０】本発明の一実施形態の動作を説明するための表示手段の表示画面である。
【図１１】本発明の一実施形態の動作を説明するための表示手段の表示画面である。
【図１２】本発明の一実施形態の動作を説明するための表示手段の表示画面である。
【発明を実施するための形態】
【００２５】
以下、本発明の一実施形態について、図面を参照して説明する。
まず、本発明の車両補修費見積装置について説明すれば、図１において符号１は本実施形態に係わる車両補修費見積装置を示す。
【００２６】
この車両補修費見積装置１は、車体Ｖ（図８参照）表面の損傷範囲を撮像する撮像手段２と、この撮像手段２によって撮像された画像を表示する表示手段３と、前記損傷範囲に複数の直交するレーザー光線を照射して、この損傷範囲を複数の単位補修領域Ａ（図３参照）に区画するレーザーグリッドＧ（図３参照）を生成するグリッド生成手段４と、前記表示手段３と重畳して設けられ、前記複数の単位補修領域Ａを選択的に指定して補修すべき部位を特定するタッチパネルからなる入力手段５と、前記損傷の補修条件を設定する補修条件設定手段６と、前記入力手段５によって特定された前記単位補修領域Ａの情報と前記補修条件とにより補修費を算出する演算手段７と、前記各手段の制御をなす制御ユニット８とを備えている。
【００２７】
前記レーザーグリッド生成手段４は、図３に示すように、直交する２つのレーザーグリッドＧを生成するレーザー照射器９を複数備え、隣り合うレーザー照射器９が、前記２つのレーザーグリッドＧのそれぞれの方向に沿って一定距離離間するように設けられることによって構成されており、本実施形態においては、前記レーザー照射器９は５個設けられている。
【００２８】
前記撮像手段２、前記表示手段３、前記入力手段５、前記補修条件設定手段６、前記演算手段７、および、前記制御ユニット８は、本実施形態においては、タブレット型ＰＣ（パーソナルコンピューター）に一体化されている。
【００２９】
また、前記制御ユニット８は、前記演算手段７における演算結果情報と前記補修条件設定手段６によって設定された補修条件情報とに基づき、所定のレイアウトを有する電子見積書Ｐ（図１２参照）を作成する補修費用書類作成部１１と、前記補修費用書類作成部１１において作成された電子見積書を送信する通信部１２を備えている。
【００３０】
さらに、前記制御ユニット８は、図４に示すように、前述した補修条件等が記録された記録部１３を備えており、この記録部１３は、顧客情報を記録した顧客データーベース、傷の種類を記録した傷種類データーベース、車両のメーカー情報を記録したメーカーデーターベース、車種を記録した車種データーベース、損傷の部位（車両の部位）を記録した損傷部位データーベース、車両の色を記録した塗装色データーベース、補修の難易度を記録した補修難易度データーベース、塗装の範囲（補修範囲）を段階的に記録した塗装範囲データーベース、および、補修費の演算結果等を記録した補修費記録データーベースを備えている。
【００３１】
一方、前記グリッド生成手段４およびタブレット型ＰＣ１０は、中空部材によって略二等辺三角形状に形成された筐体１４に組み込まれ、あるいは、装着されている。
【００３２】
すなわち、前記グリッド生成手段４を構成する５個のレーザー照射器９は、前記筐体１４の底辺にその長さ方向に一定間隔をおいて装着され、前記タブレット型ＰＣ１０は、前記底辺と等辺の一つとの間に掛け渡されたステー１５に、アタッチメント１６を介して着脱可能に装着されている。
【００３３】
そして、前記タブレット型ＰＣ１０は、その表示手段３および入力手段５が、前記グリッド生成手段４のレーザー照射方向と反対側に位置するように装着されている。
【００３４】
さらに、前記筐体１４の一方の等辺部分には、操作者の把持部となるグリップ１７が一体に突設され、その先端部分には、前記グリッド生成手段４によるレーザー照射を行なわせるためのトリガー１８が設けられている。
【００３５】
また、前記ステー１５には、前記グリッド生成手段４へ駆動電力を供給するバッテリー１９が装着されている。
【００３６】
前記グリッド生成手段４、前記トリガー１８、および、前記バッテリー１９は、前記筐体１４の内部に挿通されている信号線や電力線によって電気的に接続されている。
【００３７】
さらに、前記制御ユニット８には、補修費見積書を作成するための諸条件の初期設定を変更するためのカスタマイズ部Ｃが設けられている。
【００３８】
このように構成された本実施形態に係わる車両補修費見積装置１の作用とともに、本実施形態の車両補修費見積システムについて説明する。
まず、前記タブレット型ＰＣ１０を起動したのちに、車両補修費見積作成アプリケーションを立ち上げる。
【００３９】
このように車両補修費見積作成アプリケーションを立ち上げると、前記表示手段３において、図５に示すような初期画面が表示される。
この初期画面には、予め設定されている補修費見積書を作成するための諸条件の初期設定を変更するアプリケーションを起動させる初期設定ボタンＢ１と、補修対象となる損傷範囲の確認操作を行なうアプリケーションを起動させる範囲確認ボタンＢ２とが表示され、それぞれ、前記表示手段３を覆って一体に設けられている入力手段５の該当部分をタッチすることによって起動される。
【００４０】
前記初期設定を変更するアプリケーションが起動されると、前記記録部１３の各データーベースへの選択的なアクセスが可能となり、各データーベースの記録内容の変更、若しくは、この記録内容の抽出情報の変更等を行なうことができる。
【００４１】
補修費見積のために前記損傷範囲の確認操作を行なうアプリケーションが起動されると、前記撮像手段２が起動されるとともに、前記表示手段３に、図６に示すように、前記撮像手段２の撮像範囲とその中心位置を示す画像が表示される。
【００４２】
ついで、前記表示手段３に表示されている中心位置を、車体Ｖの損傷範囲の中央部に位置合わせした状態で前記トリガー１８を操作する。
【００４３】
これにより、トリガーを操作し、グリッドを損傷個所に照射した段階で撮像するので、前記グリッド生成手段４の各レーザー照射器９からレーザー光線が照射されて、前記車体Ｖの損傷範囲に相互に直交する多数のレーザーグリッドＧが生成され、これらの交差するレーザーグリッドによって、図７に示すように、正方形状の多数のマス目が形成される。
これらのマス目一つ一つが前記単位補修領域Ａとなされ、これらの単位補修領域Ａによって前述した損傷範囲が区画される。
【００４４】
そして、前述した多数の単位補修領域Ａと撮像された前記損傷範囲が重畳状態で前記表示手段３において表示されるため、前記損傷範囲に存在する損傷部位すなわち補修すべき部位（図８に符号Ｚで示す）の位置が、図８に示すように、前記単位補修領域Ａの何れかに対応させられる。
【００４５】
ここで、前記表示手段３に入力手段５としてのタッチパネルが一体に設けられていることから、この入力手段５の前記損傷部位Ｚおよび前記単位補修領域Ａに対応した位置をタッチすることによって、前述した損傷部位Ｚを電子情報として特定することができる。
【００４６】
このような損傷部位Ｚの特定操作が、前記表示手段３のタッチ操作で簡便に行なわれるとともに、実写された損傷部位Ｚを確認しつつ前述した特定操作を行なうことができる。
【００４７】
したがって、補修が必要な箇所の特定を高精度に行なうことができるばかりでなく、その特定結果の信頼性を大幅に向上させることができる。
【００４８】
前記単位補修領域Ａの選択すなわち損傷部位Ｚの特定作業は、損傷部位Ｚを包含する前記単位補修領域Ａのすべてにおいて行なわれ、その特定された単位補修領域Ａに、図９に示すように網掛け処理が施されて特定されたことが表示されるとともに、その特定数がカウントされて、その結果が図８に示すように表示される。
【００４９】
ここで、たとえば、前記レーザーグリッドＧの間隔、すなわち、前記単位補修領域Ａの一辺の長さを１０ｃｍとしておくことにより、前述したカウント数により補修を行なう必要のある全面積を算出することができる。
【００５０】
ついで、前述した損傷部位Ｚの特定作業が終了した後は、前記表示手段３に表示されている完了ボタンＢ３をタッチすることにより、前記表示手段３の表示が図１０および図１１に示すような補修条件設定画面に切り替わる。
この図１０と図１１に示される画面は連続画面であって、スクロールによって表示位置が変化するようになされている。
【００５１】
この補修条件設定画面では、前述した損傷部位Ｚの特定作業が完了した状態の表示画面が縮小されて表示され、これとともに、見積番号、見積作成日、顧客情報、車両および補修条件情報等の入力領域が表示される。
【００５２】
前記顧客情報としては、顧客の氏名、住所、電話番号、メールアドレス等が挙げられ、それぞれの表示領域に手入力による入力が行なわれるようになっている。
【００５３】
前記車両および補修条件情報としては、車両の車両番号、メーカー名、初年度登録年月日、車種、バンパーやフェンダーあるいはドアといった損傷部位、傷の種類、補修難易度、補修サイズ、塗装の種類、塗装範囲、塗装色、追加部品代、割引料金、追加料金等が挙げられ、それぞれ、手入力若しくはプルダウンメニューからの選択操作による入力が行なわれるようになっている。
【００５４】
前記プルダウンメニューのメニューは、記録部１３のそれぞれに対応したデーターベースから取得するようになっている。
【００５５】
これらの車両および補修条件情報の入力がなされると、これらの各情報が計数化されるとともに、予め設定されている基本料金と乗算又は加算されて補修費見積額が算出され、その算出結果が、図１１に示すお見積価格欄に表示される。
【００５６】
以上の操作が完了し、見積額が表示された後に、その内容を確認し見積作業を終了する場合には、図１１に示す確定ボタンＢ４をタッチする。
【００５７】
前記確定ボタンＢ４が操作されると、前記補修条件設定画面において入力された情報が、図１２に示すように、予め作成されている電子見積書Ｐの所定箇所に、前述した損傷部位Ｚの特定作業が完了した状態の表示画面とともに表示される。
【００５８】
ここで、前記電子見積書Ｐが表示された状態でその情報に表示されるＰＤＦ変換ボタンＢ５をタッチすることによりＰＤＦへ変換された後に、前記記録部１３へ記録される。
【００５９】
また、顧客のメールアドレスが入力されている場合には、前記ＰＤＦ変換ボタンＢ５と並んで設けられている送信ボタンＢ６をタッチすることにより、ＰＤＦ変換された電子見積書Ｐが顧客へ送信される。
【００６０】
このように、本発明によれば、車両の補修費の見積に際し、損傷具合や補修範囲を実際の画像を用いて見積書を自動的に作成することができ、依頼者の信頼度を高めることができることができるばかりでなく、見積書の作成時間を大幅に短縮することができる。
【符号の説明】
【００６１】
１  車両補修見積装置
２  撮像手段
３  表示手段
４  グリッド生成手段
５  入力手段
６  補修条件設定手段
７  演算手段
８  制御ユニット
９  レーザー照射器
１０  タブレット型ＰＣ
１１  補修費用書類作成部
１２  通信部
１３  記録部
１４  筐体
１５  ステー
１６  アタッチメント
１７  グリップ
１８  トリガー
１９  バッテリー
Ａ  単位補修領域
Ｂ１  初期設定ボタン
Ｂ２  範囲確認ボタン
Ｂ３  完了ボタン
Ｂ４  確定ボタン
Ｂ５  ＰＤＦ変換ボタン
Ｂ６  送信ボタン
Ｃ  カスタマイズ部
Ｇ  レーザーグリッド
Ｐ  電子見積書
Ｖ  車体
Ｚ  損傷部位（補修すべき部位）
【図１】
2014059668.tif 000003
【図２】
2014059668.tif 000004
【図３】
2014059668.tif 000005
【図４】
2014059668.tif 000006
【図５】
2014059668.tif 000007
【図６】
2014059668.tif 000008
【図７】
2014059668.tif 000009
【図８】
2014059668.tif 000010
【図９】
2014059668.tif 000011
【図１０】
2014059668.tif 000012
【図１１】
2014059668.tif 000013
【図１２】
2014059668.tif 000014